(57)【要約】【課題】電子情報を管理する技術、特に、電子デバイスにコンテンツバーストを効率的に送信するためのシステム及び方法を提供する。【解決手段】バースト送信手順をサポートするためのシステムは、選択されたコンテンツ品目を個々のコンテンツセグメントに分割するバーストマネージャを含む。送信機は、次に、異なる対応する送信チャンネル上で実質的に同時の方法でコンテンツセグメントを送信する。１つ又はそれよりも多くの電子デバイスは、送信されたコンテンツセグメントを受信して格納する。電子デバイスのコンテンツマネージャは、再構築手順を実行し、デバイスユーザによる利用に向けてコンテンツセグメントを最初に送信されたコンテンツ品目に変換する。【選択図】図１
2010033575.tif 000002
【特許請求の範囲】
【請求項１】
バースト送信手順をサポートするためのシステムであって、
コンテンツ品目をコンテンツセグメントに分割するバーストマネージャと、
実質的に同時の方法で前記コンテンツセグメントを送信する送信機と、
前記コンテンツセグメントを受信する電子デバイスと、
再構築手順を実行して前記コンテンツセグメントを前記コンテンツ品目に変換して戻すコンテンツマネージャと、
を含むことを特徴とするシステム。
【請求項２】
前記電子デバイスは、携帯型無線デバイスとして実施されることを特徴とする請求項１に記載のシステム。
【請求項３】
前記コンテンツ品目は、映画、テレビ番組、音楽、及び音声／映像データを含む時間依存データを含むことを特徴とする請求項１に記載のシステム。
【請求項４】
前記送信機は、無線周波数ブロードキャスト送信機として実施されることを特徴とする請求項１に記載のシステム。
【請求項５】
前記バースト送信手順は、前記コンテンツセグメントを送信する時に前記送信機の実質的に全ての利用可能な送信機能を使用することを特徴とする請求項１に記載のシステム。
【請求項６】
前記電子デバイスは、前記コンテンツセグメントを受信した後に前記バースト送信手順を通じて節電モードに入ることができることを特徴とする請求項１に記載のシステム。
【請求項７】
前記送信機は、前記コンテンツセグメントを送信した後に前記バースト送信手順における他のタスクを実行することができることを特徴とする請求項１に記載のシステム。
【請求項８】
前記送信機は、複数の送信チャンネルを利用して前記バースト送信手順中に前記コンテンツセグメントのそれぞれの対応するものを送信することを特徴とする請求項１に記載のシステム。
【請求項９】
前記コンテンツセグメントの総数は、前記送信チャンネルの総数に等しいことを特徴とする請求項８に記載のシステム。
【請求項１０】
前記送信チャンネルは、前記バースト送信手順に関する送信制御情報を含む主送信チャンネルを含むことを特徴とする請求項８に記載のシステム。
【請求項１１】
前記電子デバイスは、前記送信チャンネルのどちらを利用して前記コンテンツセグメントを送るかを判断する受信機を含むことを特徴とする請求項１に記載のシステム。
【請求項１２】
前記受信機は、主送信チャンネル上の送信制御情報を分析して前記送信チャンネルの現在利用されているものを特定することを特徴とする請求項１１に記載のシステム。
【請求項１３】
前記バーストマネージャは、所定の選択基準に従って前記コンテンツ品目を特定することを特徴とする請求項８に記載のシステム。
【請求項１４】
前記所定の選択基準は、コンテンツ番組スケジュールを含むことを特徴とする請求項１３に記載のシステム。
【請求項１５】
前記バーストマネージャは、前記バースト送信手順を実行するための前記送信チャンネルの現在利用可能なものを判断し、該バーストマネージャは、次に、該送信チャンネルの該利用可能なものに等しい数の前記コンテンツセグメントに前記コンテンツ品目を分割することを特徴とする請求項１４に記載のシステム。
【請求項１６】
前記バーストマネージャは、別々のセグメントヘッダを前記コンテンツセグメントの各々に添付し、前記送信機は、次に、該コンテンツセグメントを送信することを特徴とする請求項１５に記載のシステム。
【請求項１７】
前記電子デバイスの受信機が、前記バースト送信手順を検出し、該受信機は、前記送信チャンネルの主チャンネル上の制御情報を分析することによって該送信チャンネルのうちのアクティブなものを特定し、該受信機は、次に、前記コンテンツセグメントを受け取ってそれをローカルに格納することを特徴とする請求項１６に記載のシステム。
【請求項１８】
前記電子デバイスのコンテンツマネージャが、前記セグメントヘッダからのセグメント情報を利用して前記コンテンツセグメントを前記コンテンツ品目に変換して戻すことにより、コンテンツ再構築手順を実行することを特徴とする請求項１７に記載のシステム。
【請求項１９】
前記受信機は、前記送信チャンネルの前記主チャンネル上の前記制御情報を分析することにより、前記バースト送信手順に対する送信チャンネル変更イベントを検出することを特徴とする請求項１７に記載のシステム。
【請求項２０】
バースト送信手順をサポートする方法であって、
バーストマネージャを用いてコンテンツ品目をコンテンツセグメントに分割する段階と、
送信機を利用して、実質的に同時の方法で前記コンテンツセグメントを送信する段階と、
電子デバイスを用いて前記コンテンツセグメントを受け取る段階と、
コンテンツマネージャを用いて再構築手順を実行し、前記コンテンツセグメントを前記コンテンツ品目に変換して戻す段階と、
を含むことを特徴とする方法。
【発明の詳細な説明】
【技術分野】
【０００１】
本発明は、一般的に、電子情報を管理する技術に関し、より具体的には、電子デバイスにコンテンツバーストを効率的に送信するためのシステム及び方法に関する。
【背景技術】
【０００２】
電子コンテンツを提供する有効な方法を実施することは、現代の電子デバイスの設計者及び製造業者にとって大きな考慮事項である。しかし、電子デバイスにより利用されるコンテンツを効率的に供給することによって、システム設計者に相当な課題が発生すると考えられる。例えば、デバイスの機能及び性能の向上を求める要求の高まりには、システム処理能力の強化が必要であり、かつ追加的なソフトウエアリソースが必要になると考えられる。処理やソフトウエアに対する要求の高まりにより、生産コスト及び運営上の非効率性の増加による有害な経済影響も生ずる恐れもある。
【０００３】
更に、様々な高度なデータ管理作業を実行するデバイス機能の強化は、システムユーザに付加的な恩典を提供すると考えられるが、様々なシステム構成要素の制御及び管理に対する要求も増大するであろう。例えば、電子コンテンツを効率的に管理する高度電子ネットワークデバイスは、関係するデジタルデータが大量かつ複雑であるため、効率的に実施することが非常に重要である。
【発明の概要】
【発明が解決しようとする課題】
【０００４】
システムリソースに対する要求の増大及びデータの大きさの実質的な増大により、コンテンツを電子デバイスに供給する新しい技術を開発することが、関連の電子技術に関する大きな関心事であることは明らかである。従って、以上のあらゆる理由から、コンテンツを供給する効率的なシステムを開発することは、設計者、製造業者、及び現代の電子デバイスのユーザにとって依然として大きな考慮事項である。
【課題を解決するための手段】
【０００５】
本発明により、電子デバイスにコンテンツバーストを効率的に送信するシステムを開示する。一実施形態では、コンテンツ配信システムは、有利な態様では、電子デバイスのデバイスユーザによる利用に向けて様々な形式の適切なコンテンツ品目を自動的に供給するバースト送信手順をサポートする。例えば、コンテンツ品目は、以下に限定されるものではないが、映画、音楽、テレビ番組、及び音声／映像クリップのような時間依存情報を含むことができる。
【０００６】
一実施形態では、送信機のバーストマネージャは、あらゆる適切な技術を利用することによって、バースト送信のために選択したコンテンツ品目を最初に特定する。例えば、コンテンツ品目は、コンテンツ番組スケジュール上に列挙することができる。バーストマネージャは、次に、送信機の送信モジュール上で現在利用可能な送信チャンネルを判断する。バーストマネージャは、コンテンツセグメント化手順を実行し、選択コンテンツ品目を利用可能な送信チャンネルの数に対応する適切な数のコンテンツセグメントに分割する。
【０００７】
ある一定の実施形態では、バーストマネージャは、あらゆる関連情報を含むようにセグメントヘッダをコンテンツセグメントに添付することができる。例えば、コンテンツヘッダは、コンテンツ品目を元のコンテンツ品目へ続いて再構築する情報を含むことができる。最後に、送信機は、送信モジュールを利用して、利用可能な送信チャンネルのうちのそれぞれの対応するものを通じてコンテンツ品目のコンテンツバースト送信を実行することができる。
【０００８】
本発明により、電子デバイスは、受信機を利用して送信機からのコンテンツバースト送信を検出する。受信機及びコンテンツマネージャは、主送信チャンネル上のコンテンツ送信情報を分析し、コンテンツバースト送信手順を実行するためにどの送信チャンネルが現在利用されているかを特定する。受信機は、次に、コンテンツバースト送信から送信コンテンツセグメントを受信してローカルに格納する。コンテンツマネージャは、次に、受信コンテンツセグメントのヘッダを分析し、コンテンツ再構築手順を実行して、コンテンツバースト送信手順に向けて選択された元のコンテンツ品目に対応する統一されたコンテンツ品目を生成する。
【０００９】
バースト送信後、電子デバイスは、次に、受信機をオフにする節電モードに入ることによって有意な作動電力を節約することができる。更に、バースト送信は、持続時間が比較的短いものであるから（リアルタイム送信と比較して）、コンテンツ品目は、中断された送信経路又は他のマイナス要因により引き起こされる送信ブラックアウトにより送信中に損なわれる可能性が小さい。更に、付加的な利用可能な送信帯域幅を利用して持続時間が比較的短いバーストを実行することにより、送信機は、有利な態様においては、他の適切なタスク及び機能を実行するための付加的な利用可能時間を使用することができる。従って、少なくとも以上の理由から、本発明は、電子デバイスにコンテンツバーストを効率的に送信するための改良型システム及び方法を提供する。
【図面の簡単な説明】
【００１０】
【図１】本発明の一実施形態によるコンテンツ配信システムのブロック図である。
【図２】本発明による図１の送信機の一実施形態のブロック図である。
【図３】本発明による図２の送信機メモリの一実施形態のブロック図である。
【図４】本発明による図３のコンテンツ品目の一実施形態のブロック図である。
【図５】本発明による図１の電子デバイスの一実施形態のブロック図である。
【図６】本発明による図５のデバイスメモリの一実施形態のブロック図である。
【図７】本発明によるバースト送信手順の一実施形態を示す図である。
【図８】本発明によるバースト受信手順の一実施形態を示す図である。
【図９】本発明の一実施形態によるバースト送信手順を実行する方法段階の流れ図である。
【図１０】本発明の一実施形態によるバースト受信手順を実行する方法段階の流れ図である。
【発明を実施するための形態】
【００１１】
本発明は、電子情報管理技術の改良に関する。以下の説明は、当業者が本発明を製作及び使用することを可能にするために示し、特許出願及びその要件に関連して提供するものである。開示する実施形態に対する様々な修正は、当業者に容易に明らかであり、本明細書での一般的な原理は、他の実施形態にも適用することができる。従って、本発明は、図示の実施形態に限定されることを意図したものではなく、本明細書で説明する原理及び特徴と一致する最も広い範囲を与えるものとする。
【００１２】
本発明は、バースト送信手順をサポートするためのシステムとシステムのための方法とを含み、かつ選択コンテンツ品目を個々のコンテンツセグメントに分割するバーストマネージャを含む。送信機は、次に、収量率の強化を達成するために、異なる対応する送信チャンネル上で実質的に同時の方法でコンテンツセグメントを送信する。１つ又はそれよりも多くの電子デバイスは、送信されたコンテンツセグメントを受信して格納する。電子デバイスのコンテンツマネージャは、再構築手順を実行して、デバイスユーザによる利用に向けてコンテンツセグメントを最初に送信されたコンテンツ品目に変換する。
【００１３】
図１をここで参照すると、本発明の一実施形態によるコンテンツ配信システム１１０のブロック図が示されている。図１の実施形態では、コンテンツ配信システム１１０は、以下に限定されるものではないが、送信機１１８及び１つ又はそれよりも多く電子デバイス１２６を含むことができる。代替的な実施形態では、コンテンツ配信システム１１０は、図１の実施形態に関連して説明したある一定の構成要素及び構成に加えて又はその代わりの構成要素及び構成を利用することによって実施することができる。例えば、例示を目的として、単一の電子デバイス１２６を図１に示している。しかし、実際には、開示する本発明の原理は、あらゆる数の異なる電子デバイス１２６を用いて実施することができる。
【００１４】
本発明により、コンテンツ配信システム１１０は、有利な態様においては、電子デバイスのデバイスユーザによる利用に向けて自動的に様々な形式の適切なコンテンツ品目を供給するバースト送信手順をサポートする。例えば、ある一定の実施形態では、コンテンツ品目は、一般的に、所定のクロックに従って電子デバイス１２６により再生される時間依存情報を含むことができる。
【００１５】
ある一定の実施形態では、送信機１１８は、コンテンツ品目の通常の送信又はリアルタイム再生持続時間よりも短い送信時間でコンテンツ品目を転送する送信バーストを利用することによって、１つ又はそれよりも多くの電子デバイス１２６に適切なコンテンツ品目を供給する。例えば、送信機が、２０メガビット／秒（Ｍｂｓ）のコンテンツを転送する最大送信機能を有するが、所定のコンテンツ品目が、送信機が電子デバイスによるリアルタイム表示に向けて従来の転送率を用いてコンテンツ品目を転送するのに通常単に５Ｍｂｓが必要であるという状況を考えてみる。
【００１６】
本発明は、全ての２０Ｍｂｓの送信帯域幅を利用するバースト送信でコンテンツ品目を送信することを提案するものである。このようなシナリオでは、送信機１１８は、次に、従来の転送時間の１／４でコンテンツ品目のバースト送信を完了することができる。バースト送信後、電子デバイスは、次に、節電モードに入ることによって有意な作動電力を節約することができる。バースト送信は、持続時間が比較的短いものであるから（リアルタイム送信と比較して）、コンテンツ品目は、中断された送信経路又は他のマイナス要因により引き起こされる送信ブラックアウトにより送信中に損なわれる可能性が小さくなる。更に、付加的な利用可能な送信帯域幅を利用して持続時間が比較的より短いバーストを実行することにより、送信機１１８は、有利な態様においては、他の適切なタスク及び機能を実行するための付加的な利用可能時間を使用することができる。コンテンツ配信システム１１０の実施例及び利用に関する更なる詳細に対して図２〜図１０に関連して以下で説明する。
【００１７】
図２をここで参照すると、本発明による図１の送信機１１８の一実施形態のブロック図が示されている。図２の実施形態では、送信機１１８は、以下に限定されるものではないが、送信機中央演算処理デバイス（送信機ＣＰＵ）２１２、送信モジュール２１６、送信機メモリ２２０、及び１つ又はそれよりも多くの送信機入力／出力インタフェース（送信機Ｉ／Ｏインタフェース）２２４を含む。送信機１１８の以上の構成要素は、送信機バス２２８に結合され、送信機バス２２８を通じて通信することができる。代替的な実施形態では、送信機１１８は、代替的に、図２の実施形態に関連して説明するある一定の構成要素及び構成に加えて又はその代わりの構成要素及び構成を用いて実施することができる。
【００１８】
図２の実施形態では、送信機ＣＰＵ２１２は、好ましくは、ソフトウエア命令を実行することによって送信機１１８の作動を制御及び管理するあらゆる適切かつ互換可能なマイクロプロセッサデバイスを含むように実施することができる。図２の送信機１１８は、あらゆる有効な形式の無線又は有線通信技術を利用することにより、送信モジュール２１６を利用して１つ又はそれよりも多くの電子デバイス１２６（図１）に電子情報を送ることができる。例えば、ある一定の実施形態では、送信機１１８は、民放テレビブロードキャスト送信機を含むことができる。
【００１９】
図２の実施形態では、送信機メモリ２２０は、以下に限定されるものではないが、読取専用メモリ（ＲＯＭ）、ランダムアクセスメモリ（ＲＡＭ）、及びフロッピー（登録商標）ディスク、メモリスティック、コンパクトディスク、又はハードディスクなどの不揮発性メモリを含む、望ましい記憶デバイスのあらゆる組合せを含むように実施することができる。送信機メモリ２２０のコンテンツ及び機能性に対して図３に関連して更に以下で説明する。
【００２０】
図２の実施形態では、送信機Ｉ／Ｏインタフェース２２４は、送信機１１８により必要とされる形式の情報を受信及び／又は送信する１つ又はそれよりも多くの入力及び／又は出力インタフェースを含むことができる。送信機Ｉ／Ｏインタフェース２２４は、送信機ユーザが送信機１１８と通信することを可能にする１つ又はそれよりも多くの手段を含むことができる。送信機１１８の実施及び利用に対して図３〜図４と図９に関連して更に以下で説明する。
【００２１】
図３をここで参照すると、本発明による図２の送信機メモリ２２０の一実施形態のブロック図が示されている。図３の実施形態では、送信機メモリ２２０は、以下に限定されるものではないが、送信機アプリケーション３１２、送信機オペレーティングシステム３１６、１つ又はそれよりも多くのコンテンツ品目３２０、バーストマネージャ３２４、及び種々雑多な情報３４０を含むことができる。代替的な実施形態では、送信機メモリ２２０は、図３の実施形態に関連して説明したある一定の構成要素及び機能に加えて又はその代わりに様々な構成要素及び機能を含むことができる。
【００２２】
図３の実施形態では、送信機アプリケーション３１２は、好ましくは、送信機１１８に対して様々な機能及び作動を実行するようにＣＰＵ２１２（図２）により実行されるプログラム命令を含むことができる。送信機アプリケーション３１２の具体的な性質及び機能性は、対応する送信機１１８の特定の形式及び具体的な機能性のような要素によって典型的に変わるものである。送信機オペレーティングシステム３１６は、送信機１１８に対して様々な低レベルの機能を実行することができる。
【００２３】
図３の実施形態では、コンテンツデータベース３２０は、コンテンツプロバイダ１１４（図１）又は他の適切なエンティティから送信機アプリケーション３１２により受信されるあらゆる適切な形式のコンテンツ品目又は他の情報を含むことができる。例えば、ある一定の実施形態では、コンテンツ品目には、以下に限定されるものではないが、あらゆる形式の娯楽番組、映画、映像データ、音声データ、デジタル写真、静止画像データ、グラフィック、ウェブページ、プログラムガイド情報、及び様々な形式のソフトウエアプログラムなどを含むことができる。
【００２４】
図３の実施形態では、バーストマネージャ３２４は、本発明によるコンテンツバースト送信手順を調節するのに利用することができる。図３の実施形態では、種々雑多な情報３４０は、送信機１１８により必要なあらゆる適切な情報又はデータを含むことができる。バーストマネージャ３２４の作動に関する付加的な詳細に対しては、図９に関連して更に以下で説明する。
【００２５】
図４をここで参照すると、本発明による図３のコンテンツ品目３２０の一実施形態のブロック図が示されている。図４の実施形態では、コンテンツ品目は、以下に限定されるものではないが、映画４１２、音楽４１６、テレビ番組４２０、音声／映像データ４２４、及び種々雑多なデータ４３６を含む。図４の実施形態では、コンテンツ品目３２０は、例示のために示されている。代替的な実施形態では、送信機１１８は、図４の実施形態に関連して説明するある一定の要素及び情報に加えて又はその代わりの要素及び情報を含むコンテンツ品目３２０を供給することができる。
【００２６】
図４の実施形態では、映画４１２、音楽４１６、テレビ番組４２０、及び音声／映像データ４２４は、あらゆる適切なデータソースからの様々な形式の電子情報を含むことができる。ある一定の実施形態では、コンテンツ品目の一部は、特定の速度（時間依存）で連続的に電子デバイス１２６上に示されることを意図している。種々雑多なデータ４３６は、電子デバイス１２６による利用のためのあらゆる付加的な情報を含むことができる。コンテンツ品目３２０の送受信に対して図９〜図１０に関連して更に以下で説明する。
【００２７】
図５をここで参照すると、本発明による図１の電子デバイス１２６の一実施形態のブロック図が示されている。図５の実施形態では、電子デバイス１２６は、以下に限定されるものではないが、サーバ中央演算処理デバイス（サーバＣＰＵ）５１２、受信機５１４、ディスプレイ５１６、デバイスメモリ５２０、及び１つ又はそれよりも多くのデバイス入出力インタフェース（デバイスＩ／Ｏインタフェース）５２４を含むことができる。電子デバイス１２６の以上の構成要素は、デバイスバス５２８に結合され、デバイスバス５２８を通じて通信することができる。
【００２８】
代替的な実施形態では、電子デバイス１２６は、図５の実施形態に関連して説明するある一定の構成要素及び構成に加えて又はその代わりに様々な構成要素及び構成を用いて容易に実行することができる。更に、図５の実施形態では、電子デバイス１２６は、あらゆる他の形式の適切な電子デバイスとして実施することができる。例えば、ある一定の実施形態では、電子デバイス１２６は、パーソナルコンピュータ、携帯電話、セットトップボックス、視聴覚娯楽デバイス、又は携帯情報端末（ＰＤＡ）のようなあらゆる形式の定置式又は携帯電子デバイスとして実施することができる。
【００２９】
図５の実施形態では、デバイスＣＰＵ５１２は、好ましくは、ソフトウエア命令を実行することによって電子デバイス１２６の作動を制御及び管理するあらゆる適切かつ互換可能なマイクロプロセッサデバイスを含むように実施することができる。図５の実施形態では、受信機５１４は、送信機１１８（図１）からコンテンツ品目及び他の情報を受信するあらゆる適切な手段を含むことができる。ある一定の実施形態では、受信機５１４は、送信機１１８から同時に複数の送信チャンネルを受け取ることができる。
【００３０】
図５のデバイスディスプレイ５１６は、デバイスユーザに様々な情報を表示する適切なスクリーンを有するブラウン管モニタ又は液晶ディスプレイを含むあらゆる有効な形式のディスプレイ技術を含むことができる。図５の実施形態では、デバイスメモリ５２０は、以下に限定されるものではないが、読取専用メモリ（ＲＯＭ）、ランダムアクセスメモリ（ＲＡＭ）、及びフロッピー（登録商標）ディスク、メモリスティック、コンパクトディスク、又はハードディスクなどの様々な不揮発性メモリを含む、望ましい記憶デバイスのあらゆる組合せを含むように実施することができる。デバイスメモリ５２０のコンテンツ及び機能性に対して図６に関連して更に以下で説明する。
【００３１】
図５の実施形態では、デバイスＩ／Ｏインタフェース５２４は、電子デバイス１２６により必要とされるあらゆる形式の情報を受信及び／又は送信する１つ又はそれよりも多くの入力及び／又は出力インタフェースを含むことができる。デバイスＩ／Ｏインタフェース５２４は、デバイスユーザが、コンテンツ配信システム１１０（図１）で他のエンティティと通信することを可能にする１つ又はそれよりも多くの手段を含むことができる。例えば、先の手段は、キーボードデバイス、無線リモコンデバイス、対応するマイク付きの音声認識モジュール、タッチスクリーン機能を有するグラフィカルユーザインタフェース、携帯用デバイスコントローラユニット、又は電子デバイス１２６上に外部的に取り付けられる選択ボタンアレイを含むことができる。電子デバイス１２６の実施及び利用に関する更なる詳細を図６と図１０に関連して更に以下で説明する。
【００３２】
図６をここで参照すると、本発明による図５のデバイスメモリ５２０の一実施形態のブロック図が示されている。図６の実施形態では、デバイスメモリ５２０は、以下に限定されるものではないが、デバイスアプリケーション６１２、コンテンツマネージャ６１６、コンテンツ品目６１８、及び種々雑多な情報を含む。代替的な実施形態では、デバイスメモリ５２０は、図６の実施形態に関連して説明したある一定の構成要素及び機能性に加えて又はその代わりに様々な構成要素及び機能性を含むことができる。
【００３３】
図６の実施形態では、デバイスアプリケーション６１２は、電子デバイス１２６に対して様々な機能及び作動を実行するようにＣＰＵ５１２（図５）により実行されるプログラム命令を含むことができる。デバイスアプリケーション６１２の具体的な性質及び機能性は、対応する電子デバイス１２６の特定の形式及び具体的な機能性のような要素により典型的には変わるものである。
【００３４】
図６の実施形態では、コンテンツマネージャ６１６は、適切な手順を実行してあらゆる適切な技術を利用することによってコンテンツ品目を受信及び管理することができる。例えば、コンテンツマネージャは、コンテンツダウンロード手順を実行して、コンテンツ品目６１８として送信機１１８から自動的にコンテンツ品目３２０を受信、評価、再構築、更新、及びローカルに格納することができる。電子デバイス１２６の利用及び作動を図１０に関連して更に以下で説明する。
【００３５】
図７をここで参照すると、本発明によるバースト送信手順の一実施形態を示す図が示されている。図７の実施形態は、例示のために示されており、代替的な実施形態では、本発明は、図７の実施形態に関連して説明するある一定の要素、構成、及び技術に加えて又はその代わりに他の要素、構成、及び技術を含むバースト送信手順を実行することができる。
【００３６】
図７の実施形態では、送信機１１８のバーストマネージャ３２４は、どれくらい多くの送信チャンネル７１８がコンテンツバーストを送信するために現在利用可能であるかを判断する。バーストマネージャ３２４は、次に、利用可能なチャンネル７１８の数に適合するいくつかのコンテンツセグメント７１４に選択コンテンツ品目４１８を分割する。例示を目的として、図７は、４つのコンテンツセグメント７１４（ａ〜ｄ）を示すが、あらゆる適切な数のセグメント７１４を利用することができる。
【００３７】
送信機１１８の送信モジュール２１６（図２）は、次に、１つ又はそれよりも多くの電子デバイス１２６にそれぞれのチャンネル７１８上でコンテンツセグメント７１４を同時に送信することができる。ある一定の実施形態では、チャンネル７１８のうちの１つは、バーストマネージャ３２４が様々な形式の制御情報を送信する主チャンネルとして指定される。例えば、主チャンネルは、送信機１１８のどの具体的なチャンネル７１４が所定のコンテンツバーストに利用されるかを指定するチャンネル情報を含むことができる。コンテンツセグメント７１４の作成及び送信に関する更なる詳細を図９に関連して更に以下で説明する。
【００３８】
図８をここで参照すると、本発明によるバースト受信手順の一実施形態を示す図が示されている。図８の実施形態は、例示のために示されており、代替的実施形態では、本発明は、図８の実施形態に関連して説明するある一定の要素、構成要素、及び技術に加えて又はその代わりに他の要素、構成要素、及び技術を含むバースト受信手順を実行することができる。
【００３９】
図８の実施形態では、電子デバイス１２６のコンテンツマネージャ６１６は、どの送信チャンネル７１８が送信機１１８からコンテンツバーストを送信するために現在利用されているかを判断する。例えば、コンテンツマネージャ６１６は、所定の主チャンネル７１４に関するチャンネル情報を分析することができる。電子デバイス１２６の受信機５１４は、次に、コンテンツセグメントを受信、送信、及び格納する。例示を目的として、図８は、４つのコンテンツセグメント７１４（ａ〜ｄ）を示すが、あらゆる適切な数のセグメント７１４を利用することができる。
【００４０】
コンテンツマネージャ６１６は、次に、再構築手順を実行し、あらゆる有効な技術を利用することによって元のコンテンツ品目４１８にコンテンツセグメント７１４を再結合することができる。例えば、コンテンツマネージャ６１６は、コンテンツセグメントヘッダ又はコンテンツ品目タイムコード情報を分析することができる。ある一定の実施形態では、コンテンツマネージャ６１６及び受信機５１４は、コンテンツ品目６１８を送信するのに利用される送信チャンネルの変更を検出することができ、かつそれに応答して、新しい又は異なる送信チャンネル上でコンテンツ品目６１８を受信し続けることができる。コンテンツセグメント７１４の受信に関する更なる詳細に対して、図１０に関連して更に以下で説明する。
【００４１】
図９をここで参照すると、本発明の一実施形態によるバースト送信手順を実行する方法段階の流れ図が示されている。図９の流れ図は、例示のために示されており、代替的な実施形態では、本発明は、図９の実施形態に関連して説明する段階及びシーケンス以外の段階及びシーケンスを利用することができる。
【００４２】
図９の実施形態では、段階９１２で、送信機１１８のバーストマネージャ３２４（図１）は、あらゆる適切な技術を利用することによって、バースト送信のために選択されたコンテンツ品目３２０を特定する。例えば、コンテンツ品目３２０は、コンテンツ番組スケジュール上に列挙することができる。バーストマネージャは、次に、送信機の送信モジュールで現在利用可能な送信チャンネルを判断する。段階９１６で、バーストマネージャ３２４は、コンテンツセグメント化手順を実行し、選択コンテンツ品目３２０を利用可能な送信チャンネル７１８の数に対応する適切な数のコンテンツセグメント７１４に分割する。
【００４３】
段階９１８で、バーストマネージャ３２４は、あらゆる関連情報を含めるようにセグメントヘッダをコンテンツセグメント７１４に添付することができる。例えば、コンテンツヘッダは、元のコンテンツ品目３２０へコンテンツ品目７１４を続いて再構築する情報を含むことができる。最後に、送信機１１８は、送信モジュール２１６を利用して、利用可能な送信チャンネルのうちのそれぞれの対応するものを通じてコンテンツ品目７１４のコンテンツバースト送信を実行する。次に、図９のバースト送信手順を終了することができる。
【００４４】
図１０をここで参照すると、本発明の一実施形態によるバースト受信手順を実行する方法段階の流れ図が示されている。図１０の流れ図は、例示のために示されており、代替的な実施形態では、本発明は、図１０の実施形態に関連して説明する段階及びシーケンス以外の段階及びシーケンスを利用することができる。
【００４５】
図１０の実施形態では、図９に関連して上述したように、電子デバイス１２６は、段階１０１２で受信機５１４を利用して送信機１１８からコンテンツバースト送信を検出する。段階１０１４で、電子デバイス１２６のコンテンツマネージャ６１６は、主送信チャンネル上のコンテンツ送信情報を分析して、コンテンツバースト送信手順を実行するためにどの送信チャンネル７１８が現在利用されているかを特定する。
【００４６】
段階１０１６で、受信機５１４は、次に、コンテンツバースト送信から送信コンテンツセグメント７１４を受信してローカルに格納する。段階１０１８で、コンテンツマネージャ６１６は、受信コンテンツセグメント７１４を分析し、コンテンツ再構築手順を実行してコンテンツバースト送信手順に向けて選択された元のコンテンツ品目３２０に対応する統一されたコンテンツ品目を生成する。最後に、段階１０２０で、デバイスユーザは、電子デバイス１２６を利用して再構築コンテンツ品目６１８を再生することができる。
【００４７】
ある一定の実施形態を参照して本発明を以上のように説明した。他の実施形態も、この開示に照らして当業者には明らかであろう。例えば、本発明は、以上の特定の実施形態で説明したもの以外のある一定の構成及び技術を使用して容易に実施することができる。更に、本発明は、実質的に、上述したもの以外のシステムと共に使用することができる。従って、説明した実施形態に関する上記及び他の変形は、特許請求の範囲だけによって限定される本発明により包含されるように意図している。
【符号の説明】
【００４８】
１１０  コンテンツ配信システム
１１８  送信機
１２６  電子デバイス
【図１】
2010033575.tif 000003
【図２】
2010033575.tif 000004
【図３】
2010033575.tif 000005
【図４】
2010033575.tif 000006
【図５】
2010033575.tif 000007
【図６】
2010033575.tif 000008
【図７】
2010033575.tif 000009
【図８】
2010033575.tif 000010
【図９】
2010033575.tif 000011
【図１０】
2010033575.tif 000012